(57)【特許請求の範囲】
【請求項１】
耳腔内の動的コンプライアンスと上下顎の咬合位からの下顎運動に伴う距離とをそれぞれ２次元軸に設定し、前記動的コンプライアンスと前記距離とをパラメータとし、前記咬合位からの下顎運動に伴う距離の変化に伴う前記動的コンプライアンスの変化を２次元のグラフを構築して表示するようにしたことを特徴とする下顎運動に伴う中耳動特性の表示方法。
【請求項２】
耳腔内圧力と上下顎の咬合位からの下顎運動に伴う距離とをそれぞれ２次元軸に設定し、前記圧力と前記距離とをパラメータとし、前記咬合位からの下顎運動に伴う距離の変化に伴う前記圧力の変化を２次元のグラフを構築して表示するようにしたことを特徴とする下顎運動に伴う中耳動特性の表示方法。
【請求項３】
被検者１０の外耳道１１に装着され耳腔の動的コンプライアンスを検出するプローブ１３と、被検者１０の上顎に対する下顎の移動距離を測定する距離測定手段３３とを具備してなることを特徴とする下顎運動に伴う中耳動特性の測定装置。
【請求項４】
被検者１０の外耳道１１に装着され耳腔の動的コンプライアンスを検出するプローブ１３と、このプローブ１３を取付け被検者１０に装着されるフェースボウ４３、４４と、被検者１０の下顎に取り付けられるシーネ５５と、このシーネ５５と前記フェースボウ４３、４４との距離を測定する距離測定手段３３とからなることを特徴とする下顎運動に伴う中耳動特性の測定装置。
【請求項５】
プローブ１３は、その耳栓１４に、音導孔１５、１６、エア孔１７が外耳道１１内に向けて設けられ、前記エア孔１７には、検出圧力を電気信号に変換する圧力センサ１８が接続され、前記音導孔１５には、マイクロホン２３とこのマイクロホン２３のアナログ信号値をコンプライアンス信号値に変換するコンプライアンス回路２６が接続され、前記音導孔１６には、信号音を出力するイヤホン２７とプローブトーンを発振する発振器３０が接続されていることを特徴とする請求項３または４記載の下顎運動に伴う中耳動特性の測定装置。
【請求項６】
距離測定手段３３は、フェースボウ４３、４４側に設けられた超音波振動子と、シーネ５５側に設けられた反射板３４とからなることを特徴とする請求項４記載の下顎運動に伴う中耳動特性の測定装置。
【請求項７】
フェースボウ４３、４４側と、シーネ５５側との間に、相互の間隔を保持する間隔保持装置６７を設けてなることを特徴とする請求項４、５または６記載の下顎運動に伴う中耳動特性の測定装置。
【発明の詳細な説明】
【０００１】
【発明の属する技術分野】
本発明は、中耳腔の機能変動を指標とした生理的下顎位を定量的に表現するための下顎運動に伴う中耳動特性の表示方法およびその測定装置に関するもので、さらに詳しくは、いわゆる顎関節症とされる顎機能異常、低位咬合、無歯顎などの３次元的下顎位（咬合位）の判断、設定を定量的に行うための下顎運動に伴う中耳動特性の表示方法およびその測定装置に関するものである。
【０００２】
【従来の技術】
従来より、下顎位（咬合位）の判断には、下顎安静位による方法、発音による方法、嚥下位による方法、咬合力による方法、下顎運動による方法、筋電図による方法、Ｘ線写真による方法など多数の指標がある。
【０００３】
下顎安静位による方法とは、被検者が口を自然に閉じた状態をその被検者から直接問診する方法であり、発音による方法とは、被検者が上下の歯を噛んでカチカチという音を聞いて判断する方法であり、嚥下位による方法とは、被検者の下顎にセンサを取り付けて水を飲ませその時の音を聞いて判断する方法であり、咬合力による方法とは、被検者にフィルム状の薄いセンサを噛ませたときの咬合力により判断する方法であり、下顎運動による方法とは、被検者に下顎の運動をさせて問診する方法であり、筋電図による方法とは、被検者の下顎に筋電図センサを取りつけ咬合時の筋電図により判断する方法であり、Ｘ線写真による方法とは、Ｘ線写真を撮影し下顎の静的状態を観察する方法である。
【０００４】
【発明が解決しようとする課題】
以上のような方法は、いずれも医師などの検者の経験による独自の定性的な判断であって、客観性に乏しく、患者の個人差や検者の主観を排除しえず、定量的な判断ができないものであった。
【０００５】
本発明は、中耳腔の機能変動を指標とした生理的下顎位を定量的に表現して表示する方法と、顎関節症とされる顎機能異常、低位咬合、無歯顎などの３次元的下顎位（咬合位）の判断、設定を定量的に行うための測定装置を提供することを目的とする。
【０００６】
【課題を解決するための手段】
本発明は、耳腔内の動的コンプライアンスと上下顎の咬合位からの下顎運動に伴う距離とをそれぞれ２次元軸に設定し、前記動的コンプライアンスと前記距離とをパラメータとし、前記咬合位からの下顎運動に伴う距離の変化に伴う前記動的コンプライアンスの変化を２次元のグラフを構築して表示するようにしたことを特徴とする下顎運動に伴う中耳動特性の表示方法である。また、被検者１０の外耳道１１に装着され耳腔の動的コンプライアンスを検出するプローブ１３と、このプローブ１３を取付け被検者１０の顔面に装着されるフェースボウ４３、４４と、被検者１０の下顎に取り付けられるシーネ５５と、このシーネ５５と前記フェースボウ４３、４４との距離を測定する距離測定手段３３とからなり、前記プローブ１３は、その耳栓１４に、音導孔１５、１６、エア孔１７が外耳道１１内に向けて設けられ、前記エア孔１７には、検出圧力を電気信号に変換する圧力センサ１８が接続され、前記音導孔１５には、マイクロホン２３とこのマイクロホン２３のアナログ信号値をコンプライアンス信号値に変換するコンプライアンス回路２６が接続され、前記音導孔１６には、信号音を出力するイヤホン２７とプローブトーンを発振する発振器３０が接続されていることを特徴とする下顎運動に伴う中耳動特性の測定装置である。
【０００７】
距離の測定
距離測定手段３３の振動子が発振して超音波が発信し、反射板３４で反射してくる。これを同じ振動子で時間信号として受信して上下顎間の距離Ｌとして出力する。下顎を少しずつ開口すると、反射板３４が下降し、変化する距離の変化は、時々刻々と検出されて制御回路３２へ送られる。
【０００８】
動的コンプランアンスの測定
２２６Ｈｚの正弦波形の信号がイヤホン２７で一定音圧の音に変換され、音導孔１６を通り外耳道１１内に導びかれる。
被検者１０の開口運動に随伴して中耳伝音系のインピーダンス値が変動する。この音響インピーダンスがマイクロホン２３で検出され、コンプライアンス回路２６では、動的コンプランアンス（音響容積値）が測定される。
下顎位の開口距離（動的コンプランアンスに同期して変動する距離）は、計測回路３９で測定し、制御回路３２に送られている。
そのため、制御回路３２では、動的コンプランアンスをＹ軸とし、距離変動値をＸ軸とするグラフを構築し、表示器４０にリアルタイムで表示し、かつプリンタ４１で印刷する。このグラフは、両耳同時に測定される。
【０００９】
【発明の実施の形態】
（１）本発明の測定原理
被検者が口を開いたり閉じたりすると、この開口運動に随伴して、密閉した外耳内の中耳伝音系インピーダンス値が変動する。この音響法応用の音響インピーダンスから動的コンプランアンスが測定される。同時に下顎の開口距離（動的コンプランアンスに同期して変動する距離）を測定し、動的コンプランアンスをＹ軸とし、距離変動値をＸ軸とするグラフを構築する。
そして、このグラフから無歯顎者における特性を健常有歯顎者の特性と比較して患者の咬合状態や入れ歯の位置を調整すれば、顎関節症とされる顎機能異常、低位咬合、無歯顎などの３次元的下顎位（咬合位）の判断、設定を定量的に行うことができる。
本発明は、動的コンプランアンスにより生理的に安静な下顎位を数値的に測定して、この測定されたデータにより顎関節症とされる顎機能異常、低位咬合、無歯顎などを治療する指標を得ることのできる装置を提供することを目的とするものである。
【００１０】
（２）本発明による下顎運動に伴う中耳動特性の表示方法およびその測定装置の実施例を図４、図５および図６に基づき説明する。
１０は、被検者で、この被検者１０に本発明による下顎運動に伴う中耳動特性の測定装置が装着される。
この装置の右フェースボウ４３と左フェースボウ４４は、互いに向かいあったコ字形をなし、一端部には、それぞれプローブ１３、１３が取り付けられ、他端部には、長孔４５、４５が形成されて調整ねじ４６で位置調整し支片５０とともに固着され、中間部には、支持アーム４７がねじ４８、４９で連結されている。
そして、調整ねじ４６、ねじ４８、４９をゆるめて両方のプローブ１３を両耳にしっかりと差し込み、その後、調整ねじ４６、ねじ４８、４９を固く締め付ける。また、ノーズピース５２を被検者１０の鼻のやや上部の額との間の凹部に当てて右フェースボウ４３、左フェースボウ４４を略水平になるようにして調整ねじ５４で固定する。このようにして、左右のプローブ１３、１３およびノーズピース５２の３点でしっかりと固定した状態では、支片５０の先端に設けた距離測定手段３３が、略垂直に超音波を発射する。
【００１１】
シーネ５５は、被検者１０の下顎に固着されるが、無歯顎者の場合は基礎床に、また、有歯顎者の場合は前歯に取り付けられる。このシーネ５５には、略水平に支持棒５６が取り付けられ、この支持棒５６の先端部の半円リング５８と筒部５９とがピン５７で回動自在に取り付けられ、この筒部５９の上部には、前記距離測定手段３３と対峙するように反射板３４が設けられ、また、下部には、反射板３４を常時水平に保つためのおもり６０が取り付けられ、ジャイロ機構となっている。
【００１２】
前記支持アーム４７と支持棒５６の間には、間隔保持装置６７が設けられている。この間隔保持装置６７は、支持アーム４７側に設けられたアーム６１と、支持棒５６側に設けられたアーム６４との間にリンク６３を介在し、固定ねじ６５と固定ねじ６６で連結したものであり、アーム６１には長孔６２が設けられ、固定ねじ６５が摺動自在に嵌合している。
【００１３】
前記プローブ１３および距離測定手段３３のリード線６８は、右フェースボウ４３と左フェースボウ４４の途中から導出されて、コンプライアンス測定回路６９に接続されている。
このコンプライアンス測定回路６９の入力側には、プローブ１３と距離測定手段３３が接続される。このプローブ１３の耳栓１４には、音導孔１５、１６、エア孔１７が設けられ、外耳道１１内に向けて挿入され、外耳道１１の内部が密閉状態となる。
【００１４】
前記エア孔１７には、センサで検出した圧力を電気信号に変換するダイヤフラム型の圧力センサ１８、差動計測用の第１のアンプ１９、ドリフト調整のドリフト調整用可変抵抗２１を持ち、Ａ／Ｄに対応した出力をする第２のアンプ２０が順次接続されている。
前記音導孔１５には、小型で感度のよいコンデンサ型のマイクロホン２３、プリアンプとしての第３のアンプ２４、信号（２２６Ｈｚ）帯域のみを通過するフィルタ２５、アナログ信号値をコンプライアンス信号値（容積値）に変換するコンプライアンス回路２６が順次接続されている。
前記音導孔１６には、信号（２２６Ｈｚ）音を出力する小型のイヤホン２７、イヤホン駆動用の第４のアンプ２８、この第４のアンプ２８とコンプライアンス回路２６回路への信号処理をするプリアンプ２９、プローブトーンとして２２６Ｈｚの正弦波を発振する発振器３０が順次接続されている。
【００１５】
前記距離測定手段３３は、発振子と受信子兼用の超音波振動子からなり、この距離測定手段３３の入力側には、距離測定手段３３を駆動する駆動回路３５と４００ＫＨｚを発振する発振器３６が接続され、出力側には、距離による反射信号の大小に対処するＡＧＣ内蔵の第５のアンプ３７、デジタル波形処理回路からなる比較器３８、距離測定手段３３で検出したデータを上下顎間の距離として変換する計測回路３９が順次接続されている。
【００１６】
前記第２のアンプ２０とコンプライアンス回路２６は、Ａ／Ｄ変換回路２２に接続されている。このうち、コンプライアンス回路２６には、各被検者１０毎の初期値を帰還してスタート点を統一するためのＤ／Ａ変換回路３１が接続されている。また、前記Ａ／Ｄ変換回路２２と前記計測回路３９は、機器のコントロールデータを処理し、表示器４０とプリンタ４１に出力する制御回路３２に接続されている。前記表示器４０は、液晶からなり、グラフをリアルタイムで表示し、また、プリンタ４１は、データをプリントアウトするものである。
【００１７】
以上のように構成された本発明による下顎運動に伴う中耳動特性の表示方法およびその測定装置による計測と計測データにより構築されたグラフについて説明する。
▲１▼装置の装着
調整ねじ４６、ねじ４８、４９をゆるめ、右フェースボウ４３、左フェースボウ４４を開いて、被検者１０の両耳まで移動し、右フェースボウ４３、左フェースボウ４４を閉じながら外耳道１１に、プローブ１３の耳栓１４を挿入し、調整ねじ４６、ねじ４８、４９を締めて固定する。また、調整ねじ５４をゆるめ、ノーズピース５２を鼻と額の間の凹部に密着させ、かつ、右フェースボウ４３、左フェースボウ４４が略水平な状態となるように調整棒５３を進退し、調整ねじ５４で固定する。
【００１８】
つぎに、間隔保持装置６７の固定ねじ６５、６６をゆるめ、シーネ５５を被検者１０の下顎に固定する。被検者１０が無歯顎者のときは基礎床に固定し、有歯顎者のときは前歯に固定する。なお、測定中は、固定ねじ６５、６６ともに固定しないで、下顎が上下、前後、左右に自由運動ができるようにしておく。
【００１９】
▲２▼距離の測定
被検者１０は、図４の実線のように口を閉じておく。
発振器３６から出力した４００ＫＨｚの信号が駆動回路３５に送られ、距離測定手段３３の振動子が発振して超音波が発信し、反射板３４で反射してくる。これを同じ振動子で時間信号として受信して第５のアンプ３７で増幅し、比較器３８で時間差を比較して、これを計測回路３９で距離Ｌとして出力する。
下顎を少しずつ開口すると、鎖線のように、一体のシーネ５５も開口して反射板３４が下降する。このとき、反射板３４は、ピン５７で回動自在に支持されているので、ジャイロ機構により、常に水平になっている。このような距離の変化は、時々刻々と検出されて制御回路３２へ送られる。
【００２０】
▲３▼動的コンプランアンスの測定
発振器３０から２２６Ｈｚの正弦波形の信号がプリアンプ２９、第４のアンプ２８を通してイヤホン２７に送られ、このイヤホン２７で一定音圧の音に変換され、音導孔１６を通り外耳道１１内に導びかれる。
この状態で被検者１０が口を開いたり閉じたりすると、この開口運動に随伴して中耳伝音系のインピーダンス値が変動する。この音響法応用の音響インピーダンスがマイクロホン２３で検出され、第３のアンプ２４でＳ／Ｎ比を改善し、かつ増幅して、フィルタ２５で２２６Ｈｚ帯域のみを通過させる。コンプライアンス回路２６では、プリアンプ２９の信号と、フィルタ２５からの信号に基づいて動的コンプランアンス（音響容積値）が測定される。この動的コンプランアンスがＡ／Ｄ変換回路２２を介して制御回路３２へ送られる。
【００２１】
下顎位の開口距離（動的コンプランアンスに同期して変動する距離）は、前述のように距離測定手段３３で検出され、計測回路３９で測定し、制御回路３２に送られている。
そのため、制御回路３２では、動的コンプランアンスをＹ軸とし、距離変動値をＸ軸とするグラフを構築し、表示器４０にリアルタイムで表示し、かつプリンタ４１で印刷する。このグラフは、両耳同時に測定される。
【００２２】
咬合位からの距離の変化に伴う動的コンプランアンスの変化の具体的測定値を図１（ａ）（ｂ）に、また、咬合位からの距離の変化に伴う耳腔内圧力の変化の具体的測定値を図２により説明する。
図１（ａ）（ｂ）は、耳腔内コンプライアンスと上下顎の咬合位からの距離とをそれぞれ２次元軸に設定し、前記コンプライアンスと距離とをパラメータとし、咬合位からの距離の変化に伴うコンプライアンスの変化を２次元表示するようにした表示方法である。
すなわち、動的コンプランアンスをＹ軸とし、距離変動値をＸ軸とするグラフである。このグラフのうち、（ａ）に示す特性は、被検者１０が健常有歯顎者の場合のパターンを示しており、（ｂ）に示す特性は、被検者１０が咬合支持喪失（無歯顎）者の場合のパターンを示している。計測に際しては、被検者１０は、プローブ１３を耳に差し込み、口を閉じたときの距離を０とし、次第に口を開いた（下顎が顎関節を支点として下方に開いた）ときに、動的コンプランアンスがどのように変化したかを示している。
【００２３】
また、図２は、耳腔内圧力と上下顎の咬合位からの距離とをそれぞれ２次元軸に設定し、前記圧力と距離とをパラメータとし、咬合位からの距離の変化に伴う圧力の変化を２次元表示するようにした表示方法である。
【００２４】
図１（ａ）（ｂ）および図２に示すパターンの詳細な説明の前に、図３について説明する。
図３は、いわゆるベッセルのバナナ特性図で、右側特性におけるＣＲ−ＰＰ間の曲線は、下顎を上下運動したときの顎関節の軌跡であり、ＣＲ−ＮＷ間の曲線は、下顎を右へ捩じったときの左顎関節の軌跡であり、ＣＲ−Ｗ間の曲線は、下顎を左へ捩じったときの左顎関節の軌跡である。
また、左側特性におけるＣＯ（咬頭嵌合位）−ＲＰ（後方限界位）間の曲線は、ＣＲを支点とする下顎の軌跡であり、ＲＰ−ＭａｘＯＰ（最大開口位）間の曲線は、ＣＲからＰＰへ顎関節が外れながらの下顎の軌跡であり、ＭａｘＯＰ−ＰＰ（前方限界位）間の曲線は、ＰＰで顎関節が外れたままでの下顎の軌跡であり、ＰＰ−ＣＯ間の曲線は、正常位置へ戻るときの下顎の軌跡である。
【００２５】
以上のように、点ＣＲは、顎関節が生理的安定な状態での位置を示し、下顎の軌跡のうち、点ＣＯは、下顎が生理的安定な状態で閉じている安静位点であり、ＣＯ−ＲＰ間の下顎の軌跡は、関節位置ＣＲをを中心にした円弧をなし、口を通常の状態で開閉しているときを示している。変極点ＲＰ−ＭａｘＯＰ間の下顎の軌跡は、口を大きく開閉したとき、関節位置がＣＲからＰＰ点に次第に外れてゆく過程を示している。
また、点線のＣＯ１、ＰＰ１は、無歯顎者や低位咬合者の特性を示しており、図３の特性からだけでは、無歯顎者などの咬合異常者の安静位点ＣＯが特定できないことを示している。
【００２６】
しかるに、本発明の下顎位を特定する表示方法によれば、図１（ａ）（ｂ）に示す特性図から、咬合異常者の安静位点ＣＯが特定できることが判明した。
【００２７】
まず、図３と前記図１（ａ）（ｂ）のグラフとの関連について説明する。
図１（ａ）に示す健常有歯顎者のパターンでは、下顎が生理的安定な状態で閉じている安静位点ＣＯでは、下顎の咬合高径（Ｘ軸の距離）が略０（図中のＤ０）であり、この安静位点ＣＯに対応する動的コンプランアンス（Ｙ軸）を極値点Ｄ０として、口を通常の状態で開いてゆくと、動的コンプランアンス（Ｙ軸）は、次第に上昇して極値点Ｄ１に達し、このＤ１点を境として再び下降する。このときの極値点Ｄ１が図３における変極点ＲＰに相当する。
このＤ１は、下顎頭の終末蝶番運動と前方運動との境界点の極値点であり、さらに口を大きく開くと、この極値点Ｄ１から一旦極値点Ｄ２まで動的コンプランアンス（Ｙ軸）が減少する。この極値点Ｄ２がＭａｘＯＰ（最大開口位）であり、さらに大きく開こうとすると、顎関節が外れて再び急激に上昇する。
【００２８】
図１（ｂ）に示す特性線は、咬合支持喪失（無歯顎）者のパターンを示している。このパターンにおいて、安静位点ＣＯに対応する動的コンプランアンス（Ｙ軸）の極値点がＤ０１であるから、図３では判明できなかった安静位点が図１では明確に判明できる。すなわち、無歯顎者が口を閉じてゆくと、Ｄ０１から極値点Ｄｘ１まで一旦上昇し、口を完全に閉じて上下顎の基礎床が互いに接した、距離Ｌが０のときは、再び下降する。この距離Ｌが０のとき、図３におけるＣＯ１に相当する。このパターンから、無歯顎者におけるＤ０１−Ｄｘ１間は、安静位空隙を示し、このＤ０１−Ｄｘ１間におけるＤ０１に近い点が安静点であることを示している。
したがって、このときのＸ軸におけるＤ０１までの距離Ｌを測定し、この距離Ｌに対応した状態で固定ねじ６５、６６を固定すれば、その距離データが患者の咬合状態や入れ歯の位置を調整するのに最適な位置であることを表している。
【００２９】
▲３▼圧力の測定
外耳道１１がプローブ１３で密閉された状態で被検者１０が口を開いたり閉じたりすると、この開口運動に随伴して、外耳道１１内の圧力が変化する。この圧力の変化は、圧力センサ１８で電気信号として検出され、第１のアンプ１９でＳ／Ｎ比を改善し、かつ増幅して、第２のアンプ２０でドリフト調整を行い、Ａ／Ｄ変換回路２２を介して制御回路３２へ送る。
下顎位の開口距離は、前述のように距離測定手段３３で検出され、計測回路３９で測定し、制御回路３２に送られている。
そのため、制御回路３２では、圧力をＹ軸とし、距離変動値をＸ軸とするグラフを構築し、表示器４０にリアルタイムで表示し、かつプリンタ４１で印刷する。このグラフは、両耳同時に測定される。
【００３０】
図２は、このときの耳腔内圧力と上下顎の咬合位からの距離とをそれぞれ２次元軸に設定し、前記圧力と距離とをパラメータとし、咬合位からの距離の変化に伴う圧力の変化を２次元表示するようにした特性図であり、例えば、実線特性が開口運動で偏位のない人の場合で、点線特性が開口運動で偏位のある人の場合であるとすると、実線特性は、距離の変化に対してほとんど水平である。これに対し、点線特性は、距離の変化に対して波を打っており、左右の耳がアンバランスであることを表している。
そこで、この特性がバランスするように、入れ歯などの調整をする。
【００３１】
【発明の効果】
本発明は、上述のように構成したので、中耳腔の機能変動を指標とした生理的下顎位を定量的に表現できるとともに、この測定データから顎関節症とされる顎機能異常、低位咬合、無歯顎などの３次元的下顎位（咬合位）の判断、設定を定量的に行うことができる。
【図面の簡単な説明】
【図１】本発明による下顎運動に伴う中耳動特性の測定装置で測定した動的コンプランアンスをＹ軸とし、距離をＸ軸とするグラフで、（ａ）は、有歯顎者の例を示し、（ｂ）は、無歯顎者の例を示している。
【図２】本発明による下顎運動に伴う中耳動特性の測定装置で測定した耳腔内圧力をＹ軸とし、距離をＸ軸とするグラフである。
【図３】下顎位の運動時のいわゆるベッセルのバナナ特性図である。
【図４】本発明による下顎運動に伴う中耳動特性の測定装置を被検者に装着した状態の側面図である。
【図５】本発明による下顎運動に伴う中耳動特性の測定装置の斜視図である。
【図６】プローブと距離測定手段に接続したコンプライアンス測定回路のブロック図である。
【符号の説明】
１０…被検者、１１…外耳道、１２…鼓膜、１３…プローブ、１４…耳栓、１５…音導孔、１６…音導孔、１７…エア孔、１８…圧力センサ、１９…第１のアンプ、２０…第２のアンプ、２１…ドリフト調整用可変抵抗、２２…Ａ／Ｄ変換回路、２３…マイクロホン、２４…第３のアンプ、２５…フィルタ、２６…コンプライアンス回路、２７…イヤホン、２８…第４のアンプ、２９…プリアンプ、３０…発振器、３１…Ｄ／Ａ変換回路、３２…制御回路、３３…超音波振動子からなる距離測定手段、３４…反射板、３５…駆動回路、３６…発振器、３７…第５のアンプ、３８…比較器、３９…計測回路、４０…表示器、４１…プリンタ、４３…右フェースボウ、４４…左フェースボウ、４５…長孔、４６…調整ねじ、４７…支持アーム、４８…ねじ、４９…ねじ、５０…支片、５１…突起棒、５２…ノーズピース、５３…調整棒、５４…調整ねじ、５５…シーネ、５６…支持棒、５７…ピン、５８…半円リング、５９…筒部、６０…おもり、６１…アーム、６２…長孔、６３…リンク、６４…アーム、６５…固定ねじ、６６…固定ねじ、６７…間隔保持装置、６８…リード線、６９…コンプライアンス測定回路。
【図１】
0003810026.tif 000002
【図２】
0003810026.tif 000003
【図３】
0003810026.tif 000004
【図５】
0003810026.tif 000005
【図４】
0003810026.tif 000006
【図６】
0003810026.tif 000007